【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
ホットメルト接着剤組成物であって、以下の成分：
約10重量%〜約40重量%のA-B、A-B-A、A-(B-A)n-Bまたは(A-B)n-Y[式中、Aは、80℃より高いTgを有するポリビニル芳香族ブロックを含み、Bは、-10℃より低いTgを有するゴム状のミッドブロックを含み、Yは、多価化合物を含み、nは、少なくとも3の整数である]によって表される構造を有する弾性ブロックコポリマー；
約15重量%〜約70重量%の少なくとも約110℃の軟化点を有しかつ芳香族含量少なくとも約1.5重量%を有する第1のミッドブロック粘着付与樹脂；
約0重量%〜55重量%の第2のミッドブロック粘着付与樹脂；
約5重量%〜約35重量%の可塑剤；および、
約0重量%〜約20重量%の125℃より低い軟化点を有する末端ブロック粘着付与樹脂；
のブレンドを含み、
上記成分が加えて該組成物の合計100重量%であり、該組成物の粘度が、120℃で約20,000mPa.s以下であり、150℃より低い温度で塗被することができる組成物。
【請求項２】
弾性ストランド上への該組成物の初期接着保持が、少なくとも約60%である、請求項１に記載の組成物。
【請求項３】
60℃での弾性率G’が、約5000Paより高く、120℃での粘性率G”が、約50Paより高く、100℃でのtanδ値が、約0.5〜約60である請求項１に記載の組成物。
【請求項４】
前記弾性率G’が、約6000Paより高い、請求項１または２に記載の組成物。
【請求項５】
前記粘性率G”が、約50Pa〜約500Paである、請求項１または２に記載の組成物。
【請求項６】
前記tanδ値が、約1〜約50である、請求項１または２に記載の組成物。
【請求項７】
前記tanδ値が、約2〜約30である、請求項１または２に記載の組成物。
【請求項８】
前記ブロックコポリマーが、SB、SBS、SIS、SIBS、SEBS、SEP、SEPS、SBBS、SEEPSおよびそれらのブレンドからなる群より選択される、請求項1〜７のいずれかに記載の組成物。
【請求項９】
前記ブロックコポリマーが、SISである、請求項1〜７のいずれかに記載の組成物。
【請求項１０】
前記ブロックコポリマーが、SBSである、請求項1〜７のいずれかに記載の組成物。
【請求項１１】
前記ブロックコポリマーが、SISおよびSBSブロックコポリマーの混合物である、請求項1〜７のいずれかに記載の組成物。
【請求項１２】
前記ブロックコポリマーが、スチレン含量約20重量％〜約51重量％を有する、請求項８に記載の組成物。
【請求項１３】
前記第1のミッドブロック樹脂が、少なくとも約115℃の軟化点を有する、請求項1〜１２のいずれかに記載の組成物。
【請求項１４】
前記第1のミッドブロック樹脂が、芳香族含量少なくとも約2重量％を有する、請求項1〜１２のいずれかに記載の組成物。
【請求項１５】
前記合計ミッドブロック樹脂の画分xが、z≧-60x+146となるような少なくとも約115℃の軟化点zを有し、かつ、y≧-17x+18となるような芳香族性含量yを有する、請求項1〜１２のいずれかに記載の組成物。
【請求項１６】
前記組成物が、120℃で粘度15,000mPa.s以下を有する、請求項1〜１２のいずれかに記載の組成物。
【請求項１７】
前記組成物が、120℃で粘度12,000mPa.s以下を有する、請求項1〜１２のいずれかに記載の組成物。
【請求項１８】
末端ブロック粘着付与樹脂が、純粋なモノマー重合からの生成物である、請求項1〜１２のいずれかに記載の組成物。
【請求項１９】
末端ブロック粘着付与樹脂が、軟化点50℃〜120℃を有する、請求項1〜１２のいずれかに記載の組成物。
【請求項２０】
末端ブロック粘着付与樹脂が、軟化点70℃〜115℃を有する、請求項1〜１２のいずれかに記載の組成物。
【請求項２１】
約40重量%〜約65重量%の前記第1のミッドブロック粘着付与樹脂を有する、請求項1〜１２のいずれかに記載の組成物。
【請求項２２】
約50重量%〜約62重量%の前記第1のミッドブロック粘着付与樹脂を有する、請求項1〜１２のいずれかに記載の組成物。
【請求項２３】
前記組成物が、初期接着保持少なくとも約70%を有する、請求項1〜１２のいずれかに記載の組成物。
【請求項２４】
前記組成物が、初期接着保持少なくとも約75%を有する、請求項1〜１２のいずれかに記載の組成物。
【請求項２５】
前記組成物が、初期接着保持少なくとも約80%を有する、請求項1〜１２のいずれかに記載の組成物。
【請求項２６】
さらに、1週間熟成した後の接着保持少なくとも約50%を有する、請求項1〜１２のいずれかに記載の組成物。
【請求項２７】
さらに、1週間熟成した後の接着保持少なくとも約60%を有する、請求項1〜１２のいずれかに記載の組成物。
【請求項２８】
さらに、1週間熟成した後の接着保持少なくとも約70%を有する、請求項1〜１２のいずれかに記載の組成物。
【請求項２９】
ミッドブロック粘着付与樹脂が、脂肪族炭化水素樹脂およびそれらの水素化された誘導体；水素化された脂環式炭化水素樹脂；芳香族改質された脂肪族または水素化された脂環式炭化水素樹脂；脂肪族改質された芳香族炭化水素樹脂；一部または完全に水素化された芳香族炭化水素樹脂；ポリテルペンおよびスチレン化されたポリテルペン樹脂からなる群より選択される、請求項1〜１２のいずれかに記載の組成物。
【請求項３０】
さらに、鉱油および液体ポリブテンからなる群より選択される可塑剤を含む、請求項1〜１２のいずれかに記載の組成物。
【請求項３１】
さらに、石油ワックス、微結晶質ワックス、低分子量ポリエチレンおよびポリプロピレン、合成ワックスおよびポリオレフィンワックスからなる群より選択されるワックスを含む、請求項1〜１２のいずれかに記載の組成物。
【請求項３２】
不織布の第1の層；不織布の第2の層；および、前記第1および第2の不織布層の間に位置する1つまたは複数の弾性基板を含み、請求項1〜３１のいずれかに記載の接着剤組成物で互いに接着されている弾性ラミネート。
【請求項３３】
前記1つまたは複数の弾性基板が、弾性ストランドである、請求項３２に記載の弾性ラミネート。
【請求項３４】
不織布の第1の層；フィルム材料の第2の層；および、前記第1および第2の層の間に位置する1つまたは複数の弾性基板を含み、請求項１〜３１のいずれかに記載の接着剤組成物で互いに接着されている弾性ラミネート。
【請求項３５】
前記フィルムが、ポリエチレンフィルム、ポリプロピレンフィルム、エチレン-プロピレンコポリマーフィルムまたは布様の塗布されたフィルム材料を含む、請求項３４に記載の弾性ラミネート。
【請求項３６】
前記1つまたは複数の弾性基板が、弾性ストランドである、請求項３４に記載の弾性ラミネート。
【請求項３７】
請求項１〜３１のいずれかに記載の接着剤組成物でフィルム材料の第2の層に接着された不織布の第1の層を含むラミネート。
【請求項３８】
前記フィルム材料が、ポリエチレンフィルム、ポリプロピレンフィルム、エチレン-プロピレンコポリマーフィルムまたは布様の塗布されたフィルム材料を含む、請求項３７に記載の弾性ラミネート。
【請求項３９】
請求項１〜３１のいずれかに記載の接着剤組成物を含む物品。
【請求項４０】
使い捨てオムツ、女性用生理ナプキン、ベッドパッド、包帯、手術衣、テープ、ラベル、プラスチックシート、不織布シート、ペーパシート、厚紙、本、フィルターまたはパッケージを含む、請求項３９に記載の物品。